【手続補正書】
【提出日】平成21年7月21日(2009.7.21)
【手続補正１】
【補正対象書類名】特許請求の範囲
【補正対象項目名】全文
【補正方法】変更
【補正の内容】
【特許請求の範囲】
【請求項１】
被検体の血流の流速を取得する血流速度取得部と、
前記血流速度取得部により取得された前記血流の流速に応じて送信励起パルスの送信位相、リフォーカスパルスの送信位相、前記送信励起パルスと前記リフォーカスパルスとの間における相対的な位相差に対するシフト量および読出し方向のグラジエントパルスの強度の少なくとも１つを撮影条件として設定する撮影条件設定部と、
前記撮影条件設定部により設定された撮影条件に従ってイメージングスキャンを実行することによって、前記被検体の血流像を生成する血流像撮影部と、
を有することを特徴とする磁気共鳴イメージング装置。
【請求項２】
前記撮影条件設定部は、前記被検体の静脈から発生する磁気共鳴信号の強度が増加するように前記送信励起パルスの送信位相、前記リフォーカスパルスの送信位相および前記シフト量の少なくとも１つを設定するように構成されることを特徴とする請求項１記載の磁気共鳴イメージング装置。
【請求項３】
前記撮影条件設定部は、前記被検体の動脈から発生する磁気共鳴信号の強度が所定の強度以上となるように前記グラジエントパルスの強度を設定するように構成されることを特徴とする請求項１記載の磁気共鳴イメージング装置。
【請求項４】
前記撮影条件設定部は、前記被検体の心筋の拡張期および収縮期において静脈からそれぞれ発生する各磁気共鳴信号の強度が互いに同等となるように前記信励起パルスの送信位相、前記リフォーカスパルスの送信位相、前記シフト量および前記グラジエントパルスの強度の少なくとも１つを設定するように構成されることを特徴とする請求項１記載の磁気共鳴イメージング装置。
【請求項５】
前記撮影条件設定部は、前記被検体の心筋の拡張期および収縮期において動脈からそれぞれ発生する各磁気共鳴信号間の強度差が増加するように前記信励起パルスの送信位相、前記リフォーカスパルスの送信位相、前記シフト量および前記グラジエントパルスの強度の少なくとも１つを設定するように構成されることを特徴とする請求項１記載の磁気共鳴イメージング装置。
【請求項６】
前記血流像撮影部は、動脈および静脈の少なくとも一方をカラーで識別可能に表示させるための血流像を生成させるように構成されることを特徴とする請求項１記載の磁気共鳴イメージング装置。
【請求項７】
前記血流像撮影部は、前記イメージングスキャンによって取得された拡張期における３次元画像データのうち動脈データを除くデータに対する上限値および下限値を用いた閾値処理によって静脈データを検出するように構成されることを特徴とする請求項１記載の磁気共鳴イメージング装置。
【請求項８】
送信励起パルスの送信位相、リフォーカスパルスの送信位相、前記送信励起パルスと前記リフォーカスパルスとの間における相対的な位相差に対するシフト量および読出し方向のグラジエントパルスの強度の少なくとも１つを変化させて複数の参照用の血流像を収集する準備スキャンを実行する準備スキャン実行部と、
前記複数の参照用の血流像から選択された血流像の撮像に用いられた送信励起パルスの送信位相、リフォーカスパルスの送信位相、送信励起パルスとリフォーカスパルス間における相対的な位相差に対するシフト量および読出し方向のグラジエントパルスの強度を用いて撮影条件を設定する撮影条件設定部と、
前記撮影条件設定部により設定された撮影条件に従ってイメージングスキャンを実行することによって、被検体の血流像を生成する血流像撮影部と、
を有することを特徴とする磁気共鳴イメージング装置。
【請求項９】
送信励起パルスの送信位相、リフォーカスパルスの送信位相、前記送信励起パルスと前記リフォーカスパルスとの間における相対的な位相差に対するシフト量および読出し方向のグラジエントパルスの強度の少なくとも１つを撮影条件および血流速度の少なくとも一方と関連付けて記憶する記憶部と、
前記記憶部に記憶された前記送信励起パルスの送信位相、前記リフォーカスパルスの送信位相、前記シフト量および前記グラジエントパルスの強度の少なくとも１つに従って、被検体の血流速度に応じた送信励起パルスの送信位相、リフォーカスパルスの送信位相、前記送信励起パルスと前記リフォーカスパルスとの間における相対的な位相差に対するシフト量および読出し方向のグラジエントパルスの強度の少なくとも１つを撮影条件として決定する撮影条件決定部と、
前記撮影条件決定部により決定された前記撮影条件に従って時相検出部により収集された心時相を表す信号に同期して、多時相のＭＲＡ像を得るための３次元イメージング用のスキャンを実行するイメージング部と、
前記３次元イメージング用のスキャンによって得られた多時相のＭＲＡ像を差分することによって差分画像を取得するデータ処理部と、
を有することを特徴とする磁気共鳴イメージング装置。
【請求項１０】
前記データ処理部は、拡張期におけるＭＲＡ像および収縮期におけるＭＲＡ像を前記多時相のＭＲＡ像として差分し、動静脈を分離したＭＲＡ像を前記差分画像として取得するように構成されることを特徴とする請求項９記載の磁気共鳴イメージング装置。
【請求項１１】
前記イメージング部は、前記撮影条件に従って傾斜磁場を制御し、前記被検体の血管の走行方向に周波数エンコードをかけて前記スキャンを実行するように構成されることを特徴とする請求項９記載の磁気共鳴イメージング装置。
【請求項１２】
前記記憶部は、前記送信励起パルスの送信位相、前記リフォーカスパルスの送信位相、前記シフト量および前記グラジエントパルスの強度の少なくとも１つを撮影部位と関連付けて記憶するように構成され、
前記撮影条件決定部は、前記撮影部位および前記血流速度の少なくとも一方を選択するためのGraphical User Interfaceを備えていることを特徴とする請求項９記載の磁気共鳴イメージング装置。
【手続補正２】
【補正対象書類名】明細書
【補正対象項目名】発明の名称
【補正方法】変更
【補正の内容】
【発明の名称】磁気共鳴イメージング装置
【手続補正３】
【補正対象書類名】明細書
【補正対象項目名】０００１
【補正方法】変更
【補正の内容】
【０００１】
本発明は、被検体の原子核スピンをラーモア周波数のＲＦ信号で磁気的に励起し、この励起に伴って発生する磁気共鳴信号から画像を再構成する磁気共鳴イメージング装置に係り、特に造影剤を用いずに血流像を得る非造影ＭＲＡを実施することが可能な磁気共鳴イメージング装置に関する。
【手続補正４】
【補正対象書類名】明細書
【補正対象項目名】００１２
【補正方法】変更
【補正の内容】
【００１２】
本発明はかかる従来の事情に対処するためになされたものであり、非造影ＭＲＡにおいて、撮像目的とする血流からの信号をより高い信号強度で収集し、より明瞭な血流像を抽出することが可能な磁気共鳴イメージング装置を提供することを目的とする。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】変更
【補正の内容】
【００１９】
本発明に係る磁気共鳴イメージング装置においては、非造影ＭＲＡにおいて、撮像目的とする血流からの信号をより高い信号強度で収集し、より明瞭な血流像を抽出することができる。
【手続補正９】
【補正対象書類名】明細書
【補正対象項目名】００２０
【補正方法】変更
【補正の内容】
【００２０】
本発明に係る磁気共鳴イメージング装置の実施の形態について添付図面を参照して説明する。